(57)【要約】  このディスプレイ装置は、入力映像信号を表示する表示パネル（１２）と、表示パネルに表示する映像を記録再生する映像記録再生部（１７）とを備え、映像記録再生部（１７）は、入力映像信号の画面をマルチディスプレイ構成に応じて縮小する画サイズ設定部を有する。
2013190695.tif 000002
【特許請求の範囲】
【請求項１】
入力映像信号を表示する表示パネルと、
前記表示パネルに表示する映像を記録再生する映像記録再生部とを備え、
前記映像記録再生部は、入力映像信号の画面をマルチディスプレイ構成に応じて縮小する画サイズ設定部を有する
ことを特徴とするディスプレイ装置。
【請求項２】
前記画サイズ設定部は、水平方向にＭ個、垂直方向にＮ個（Ｍ、Ｎは整数）の２次元配列のマルチディスプレイの場合には、水平方向に１／Ｍ、垂直方向に１／Ｎの縮小画面を生成することを特徴とする請求項１に記載のディスプレイ装置。
【請求項３】
前記映像記録再生部は、更に、マルチディスプレイの画面構成の位置情報を記録することを特徴とする請求項１又は２に記載のディスプレイ装置。
【請求項４】
前記映像記録再生部は、更に、同期用の信号を記録することを特徴とする請求項１から３の何れか一項に記載のディスプレイ装置。
【発明の詳細な説明】
【技術分野】
【０００１】
本発明は、ディジタルサイネージシステムに用いられるディスプレイ装置に関する。
【背景技術】
【０００２】
駅や空港、ビルの壁面、商店街の店先等にディスプレイを配置し、このディスプレイに、広告コンテンツを表示するようにしたディジタルサイネージシステムが知られている（例えば特許文献１）。このようなディジタルサイネージシステムでは、コンテンツサーバからの広告コンテンツを、ネットワークを介してディスプレイに送り、広告コンテンツをスケジュールに沿って切り替えて表示することができる。これにより、多様な映像広告を展開することができる。また、このようなディジタルサイネージシステムで使用されるディスプレイとしては、複数のディスプレイを縦横に二次元配設し、これら複数のディスプレイを１つの大型のディスプレイとして映像を表示するような、マルチディスプレイ構成のものを用いることができる。
【先行技術文献】
【特許文献】
【０００３】
【特許文献１】特開２０１１−１４９９８７号公報
【発明の概要】
【発明が解決しようとする課題】
【０００４】
上述のように、ディジタルサイネージシステムでは、コンテンツサーバからの広告コンテンツを、ネットワークを介してディスプレイに送り、広告コンテンツをスケジュールに沿って切り替えて表示することができる。しかしながら、このようなディジタルサイネージシステムでは、スケジュール通りに、広告コンテンツがディスプレイに表示されたかを確証することが難しい。【０００５】
つまり、このようなディジタルサイネージシステムでは、コンテンツサーバのログを解析することで、スケジュール通りに、広告コンテンツが創出されたか否かを判定できる。しかしながら、このようなコンテンツサーバ側のログ解析では、コンテンツサーバからディスプレイに広告コンテンツが送られたことは確証できるが、ディスプレイにその広告コンテンツが表示されたか否かを確証することは難しい。例えば、コンテンツサーバからディスプレイにスケジュール通りに広告コンテンツが送られたとしても、ネットワーク上でのトラブルにより、ディスプレイ側では広告コンテンツを受信できない可能性がある。また、コンテンツサーバからディスプレイにスケジュール通りに広告コンテンツが送られたとしても、ディスプレイの入力設定が正しく行われておらず、ディスプレイに広告コンテンツが表示できない可能性がある。【０００６】
また、ディスプレイの配設されている現場の近辺にビデオカメラを設置し、ディスプレイに表示される映像をビデオカメラで撮影して、記録することが考えられる。ディスプレイに表示される映像をビデオカメラで撮影して記録すれば、スケジュール通りに、広告コンテンツがディスプレイに表示されたかを確証することができる。しかしながら、ディスプレイの配設されている現場の近辺にビデオカメラを設置するのでは、これらの機材に係わる追加費用が発生すると共に、設置されたビデオカメラの維持、管理を行う必要がある。【０００７】
本発明は、上述に課題を鑑み、広告の表示実績を確証できるディスプレイ装置を提供することを目的とする。
【課題を解決するための手段】
【０００８】
上述の課題を鑑み、本発明に係るディスプレイ装置は、入力映像信号を表示する表示パネルと、表示パネルに表示する映像を記録再生する映像記録再生部とを備え、映像記録再生部は、入力映像信号の画面をマルチディスプレイ構成に応じて縮小する画サイズ設定部を有することを特徴とする。
【発明の効果】
【０００９】
本発明によれば、ディジタルサイネージシステムを構成するディスプレイ装置に映像記録再生部が備えられている。そして、複数のディスプレイ装置により１つの大画面を形成するマルチディスプレイ構成の場合に、各ディスプレイ装置の映像記録再生部に記録する映像画面を、マルチディスプレイに使用するディスプレイの数に応じて縮小して記録すると共に、マルチディスプレイにおける各ディスプレイ装置の配置位置に関する位置情報と、各ディスプレイを同期させるためのタイムコードとを、映像記録再生部に記録している。これにより、マルチディスプレイ構成により形成された大画面の映像を１台のディスプレイ装置に表示して、広告コンテンツがスケジュール通りに表示されたか否かを確証することができる。
【図面の簡単な説明】
【００１０】
【図１】本発明の第１の実施形態に係るディジタルサイネージシステムの一例のブロック図である。
【図２】マルチディスプレイ表示画面の説明図である。
【図３】本発明の第１の実施形態に係るディスプレイ装置の一例のブロック図である。
【図４】本発明の第１の実施形態に係るディスプレイ装置における映像記録再生部の一例のブロック図である。
【図５】映像記録再生部に記録された信号を用いて表示実績確証を行う場合の説明図である。
【図６】映像記録再生部に記録された信号を用いて表示実績確証を行う場合の説明に用いるブロック図である。
【発明を実施するための形態】
【００１１】
以下、本発明の実施の形態について図面を参照しながら説明する。図１は、本発明の第１の実施形態に係るディジタルサイネージシステムの一例である。図１に示すように、ディジタルサイネージシステムは、複数のディスプレイ装置１０１ａ〜１０１ｄと、プレーヤ１０２と、コンテンツサーバ１０３と、操作端末１０４とから構成される。
【００１２】
ディスプレイ装置１０１ａ〜１０１ｄは、駅や空港、ビルの壁面、商店街の店先等に配設される。ここでは、４台のディスプレイ装置１０１ａ〜１０１ｄは、二次元配列で並んで配設され、マルチディスプレイの構成となっている。プレーヤ１０２は、これら４つのディスプレイ装置１０１ａ〜１０１ｄからなるマルチディスプレイにより、１つの大画面を形成するように、各ディスプレイ装置１０１ａ〜１０１ｄに、映像信号を供給する。
【００１３】
コンテンツサーバ１０３は、ディスプレイ装置１０１ａ〜１０１ｄとは離れた場所に配設されている。コンテンツサーバ１０３には、多数の広告コンテンツが蓄積されている。また、コンテンツサーバ１０３に対して、操作端末１０４が設けられる。コンテンツサーバ１０３とプレーヤ１０２とは、ネットワーク１０６を介して接続される。
【００１４】
このようなシステムでは、オペレータは、操作端末１０４を操作して、広告を表示する時間と、表示する広告コンテンツを決定し、コンテンツサーバ１０３にスケジュールを登録する。この登録されたスケジュールに基づいて、コンテンツサーバ１０３から広告コンテンツが読み出され、この広告コンテンツがネットワーク１０６を介して、プレーヤ１０２に送られる。プレーヤ１０２は、受信した広告コンテンツを再生し、この広告コンテンツの映像信号をディスプレイ装置１０１ａ〜１０１ｄに供給する。
【００１５】
これにより、その広告コンテンツに基づく映像がディスプレイ装置１０１ａ〜１０１ｄに表示される。
【００１６】
例えば、「Ａ」の文字からなる広告コンテンツを表示するように、コンテンツサーバ１０３にスケジュールが登録されているとする。この場合、コンテンツサーバ１０３からは、「Ａ」の文字からなる広告コンテンツがネットワーク１０６を介してプレーヤ１０２に送信される。プレーヤ１０２は、この広告コンテンツを受信すると、「Ａ」の文字からなる映像コンテンツが４つのディスプレイ装置１０１ａ〜１０１ｄからなるマルチディスプレイで１つの大画面として表示されるように、各ディスプレイ装置１０１ａ〜１０１ｄに映像信号を供給する。これにより、図２に示すように、４つのディスプレイ装置１０１ａ〜１０１ｄからなるマルチディスプレイに、「Ａ」の文字からなる映像コンテンツが表示される。
【００１７】
次に、本発明の第１の実施形態に係るディスプレイ装置について説明する。図３は、本発明の第１の実施形態に係るディスプレイ装置１の構成を示すブロック図である。このディスプレイ装置１は、図１におけるディジタルサイネージシステムのディスプレイ装置１０１ａ〜１０１ｄとして用いることができる。
【００１８】
図３に示すように、本実施形態に係るディスプレイ装置１は、映像処理部１１と、液晶パネル１２と、バックライト１３と、バックライト駆動部１４と、制御部１５と、インターフェース１６と、映像記録再生部１７とを備えている。
【００１９】
図３において、入力端子１０から入力された映像信号は、映像処理部１１に供給される。映像処理部１１は、入力映像信号に対して、画サイズ調整、輝度補正処理（シャープネス、明るさ、コントラスト等）、色補正処理等の処理を行う。映像処理部１１の出力信号は、液晶パネル１２に供給される。
【００２０】
液晶パネル１２は、例えば、ＴＦＴ（Thin Film Transistor）等が各画素に配設されたアレイ基板と、カラーフィルター基板との間に、液晶組成物からなる液晶層を封入して構成される。カラーフィルター基板には、例えば赤色（Ｒ）、緑色（Ｇ）、青色（Ｂ）の３原色からなるカラーフィルターが配設されている。
【００２１】
バックライト１３は、液晶パネル１２に対して光を照射する光源となる。バックライト１３としては、ＬＥＤ（Light Emitting Diode）や冷陰極線管が用いられる。バックライト１３は、バックライト駆動部１４からの駆動信号により駆動される。
【００２２】
制御部１５は、ディスプレイ装置１の全体動作を制御している。制御部１５は、インターフェース１６を介して、外部と信号のやり取りを行うことができる。
【００２３】
映像記録再生部１７は、液晶パネル１２に表示する映像信号を、映像処理部１１から制御部１５を介して入力し、この映像信号を記録する。このとき、映像記録再生部１７は、マルチディスプレイに使用するディスプレイの数に応じて画面を縮小すると共に、マルチディスプレイにおける各ディスプレイ装置の配置位置に関する位置情報と、各ディスプレイを同期させるためのタイムコードとを記録する。また、映像記録再生部１７には、バックライト１３の動作状態を同時に記録しておくようにしても良い。また、映像記録再生部１７は、記録した映像信号を再生し、インターフェース１６を介して、外部に出力することができる。
【００２４】
図４は、映像記録再生部１７の一例である。図４に示すように、映像記録再生部１７は、画サイズ設定部２０１と、記録部２０２と、再生部２０３とを備えている。この映像記録再生部１７は、上述のように、複数のディスプレイ装置により１つの大画面を形成する場合に、マルチディスプレイに使用するディスプレイの数に応じて画面を縮小して記録できる。
【００２５】
画サイズ設定部２０１は、マルチディスプレイに使用するディスプレイの数の情報（マルチ画面情報）に応じて画面を縮小する。すなわち、水平方向にＭ個、垂直方向にＮ個（Ｍ、Ｎは整数）の２次元配列のマルチディスプレイの場合には、画サイズ設定部２０１は、水平方向に１／Ｍ、垂直方向に１／Ｎの縮小画面を生成する。なお、単一ディスプレイの構成の場合には、画サイズ設定部２０１は、入力映像信号を画サイズを変えずに出力する。
【００２６】
記録部２０２は、画サイズ設定部２０１により縮小された映像信号を圧縮符号化し、動画ファイルを生成する。また、このとき、記録部２０２は、マルチディスプレイにおける各ディスプレイ装置の配置位置に関する位置情報と、各ディスプレイを同期させるためのタイムコードとを含めて、動画ファイルを生成する。なお、この例では、記録部２０２は、更に、バックライト１３の情報を含めて、動画ファイルを生成する。そして、記録部２０２は、この動画ファイルを記録媒体２０５に記録する。記録媒体２０５としては、ＨＤＤ(Hard Disk Drive)、ＳＳＤ（Solid State Disk）、フラッシュメモリカード等、どのようなものを用いても良い。
【００２７】
再生部２０３は、記録媒体２０５に記録されている動画ファイルを再生し、映像信号を復号して、出力する。なお、動画ファイルの再生位置は、動画ファイルに記録されているタイムコードと、入力されるタイムコードとを比較することにより、時、分、秒、フレーム単位で、同期を取ることができる。また、再生部２０３は、再生された動画ファイルから、マルチディスプレイにおける各ディスプレイ装置の配置位置に関する位置情報と、バックライト情報を再生して、出力する。
【００２８】
このように、本実施形態に係るディスプレイ装置には、液晶パネル１２に表示する映像信号を記録する映像記録再生部１７が備えられている。これにより、スケジュール通りの時間に、所望の広告コンテンツが表示されたかを確証することができる。
【００２９】
また、本実施形態では、複数のディスプレイ装置により１つの大画面を形成する場合に、映像記録再生部１７に記録する映像画面を、マルチディスプレイに使用するディスプレイの数に応じて縮小して記録すると共に、マルチディスプレイにおける各ディスプレイ装置の配置位置に関する位置情報と、各ディスプレイを同期させるためのタイムコードとを、映像記録再生部１７に記録している。これにより、マルチディスプレイを構成する各ディスプレイ装置の映像記録再生部１７から再生された映像信号を合成することで、マルチディスプレイ構成により形成された大画面の映像を１台のディスプレイ装置に表示して、広告コンテンツがスケジュール通りに表示されたか否かを確証することができる。
【００３０】
つまり、図１に示したようなディジタルサイネージシステムにおけるディスプレイ装置１０１ａ〜１０１ｄとして、図３に示すようなディスプレイ装置１を使用したとする。前述したように、図１に示したようなディジタルサイネージシステムでは、４台のディスプレイ装置１０１ａ〜１０１ｄにより１つの大画面を形成するようなマルチディスプレイの構成とされている。
【００３１】
このように、４台のディスプレイ装置１０１ａ〜１０１ｄにより１つの大画面を形成する場合、各ディスプレイ装置１０１ａ〜１０１ｄの映像記録再生部１７ａ〜１７ｄ（図６参照）に記録する映像画面は、図５（Ａ）〜図５（Ｄ）に示すように、水平方向に１／２、垂直方向に１／２に画サイズを縮小する。そして、左上に配置されたディスプレイ装置１０１ａの映像記録再生部１７ａには、左上の位置であることを示す位置情報を記録し、左下に配置されたディスプレイ装置１０１ｂの映像記録再生部１７ｂには、左下の位置であることを示す位置情報を記録し、右上に配置されたディスプレイ装置１０１ｃの映像記録再生部１７ｃには、右上の位置であることを示す位置情報を記録し、右下に配置されたディスプレイ装置１０１ｄの映像記録再生部１７ｄには、右下の位置であることを示す位置情報を記録する。また、各ディスプレイ装置１０１ａ〜１０１ｄの映像記録再生部１７ａ〜１７ｄには、時、分、秒、フレームからなる共通のタイムコードを記録しておく。
【００３２】
広告コンテンツがスケジュール通りに表示するかを確証する場合には、図６に示すように、各ディスプレイ装置１０１ａ〜１０１ｄの映像記録再生部１７ａ〜１７ｄの出力と映像合成装置１１０の入力とが接続される。また、各ディスプレイ装置１０１ａ〜１０１ｄの映像記録再生部１７ａ〜１７ｄには、映像合成装置１１０から同期用タイムコードが送信される。
【００３３】
これにより、ディスプレイ装置１０１ａの映像記録再生部１７ａからは、図５（Ａ）に示すような映像信号が再生される。また、ディスプレイ装置１０１ｂの映像記録再生部１７ｂからは、図５（Ｂ）に示すような映像信号が再生される。また、ディスプレイ装置１０１ｃの映像記録再生部１７ｃからは、図５（Ｃ）に示すような映像信号が再生される。また、ディスプレイ装置１０１ｄの映像記録再生部１７ｄからは、図５（Ｄ）に示すような映像信号が再生される。なお、各ディスプレイ装置１０１ａ〜１０１ｄの映像記録再生部１７ａから１７ｄから再生される映像信号は、映像合成装置１１０からのタイムコードにより、同期が取られている。また、このとき、各ディスプレイ装置１０１ａ〜１０１ｄの映像記録再生部１７ａから１７ｄからは、マルチディスプレイにおける各ディスプレイ装置１０１ａ〜１０１ｄの配置位置に関する位置情報が再生される。
【００３４】
映像合成装置１１０は、この配置位置に関する位置情報に基づいて、各ディスプレイ装置１０１ａ〜１０１ｄの映像記録再生部１７ａ〜１７ｄから再生された映像信号を合成して、ディスプレイ装置１１１に出力する。すなわち、映像合成装置１１０は、ディスプレイ装置１０１ａの映像記録再生部１７ａからの再生映像信号を、位置情報に基づいて、画面の左上に合成し、ディスプレイ装置１０１ｂの映像記録再生部１７ｂからの再生映像信号を、位置情報に基づいて、画面の左下に合成し、ディスプレイ装置１０１ｃの映像記録再生部１７ｃからの再生映像信号を、位置情報に基づいて、画面の右上に合成し、ディスプレイ装置１０１ｄの映像記録再生部１７ｄからの再生映像信号を、位置情報に基づいて、画面の右下に合成する。これにより、ディスプレイ装置１１１には、図５（Ｅ）に示すようなモニタ画面が表示される。このディスプレイ装置１１１のモニタ画面により、広告コンテンツがスケジュール通りに表示されたか否かを確証することができる。
【００３５】
なお、上述の例では、広告コンテンツがスケジュール通りに表示するかを確証するために、映像合成装置１１０とディスプレイ装置１１１とを用意しているが、映像合成装置１１０の機能をディスプレイ装置１０１aにもたせるようにすれば、映像合成装置１１０を用意する必要はない。また、モニタ画面を表示するディスプレイ装置１１１として、ディスプレイ装置１０１ａ自身を用いれば、モニタ用のディスプレイ装置１１１を用意する必要はない。
【００３６】
以上説明したように、本発明の実施形態では、液晶パネル１２に表示する映像信号を記録する映像記録再生部１７が備えられている。これにより、スケジュール通りの時間に、所望の広告コンテンツが表示されたかを確証することができる。
【００３７】
また、本実施形態では、複数のディスプレイ装置により１つの大画面を形成する場合に、映像記録再生部１７に記録する映像画面を、マルチディスプレイに使用するディスプレイの数に応じて縮小して記録すると共に、マルチディスプレイにおける各ディスプレイ装置の配置位置に関する位置情報と、各ディスプレイを同期させるためのタイムコードとを、映像記録再生部１７ａ〜１７ｄに記録している。これにより、マルチディスプレイ構成により形成された大画面の映像を１台のディスプレイ装置に表示して、広告コンテンツがスケジュール通りに表示されたか否かを確証することができる。
【００３８】
なお、映像記録再生部１７には、液晶パネル１２に表示する映像信号を全て記録しても良いし、所定の間隔毎に、記録しても良い。また、液晶パネル１２に表示する映像信号をランダムに選択して記録しても良い。更に、所定の間隔とランダムな間隔とを組み合わせて、記録しても良い。
【００３９】
以上、本発明の実施形態について図面を参照して詳述してきたが、具体的な構成はこの実施形態に限られるものではなく、この発明の要旨を逸脱しない範囲の設計変更等も含まれる。
【００４０】
上記の実施形態の一部又は全部は、以下の付記のようにも記載され得るが、以下には限られない。
【００４１】
（付記１）
入力映像信号を表示する表示パネルと、前記表示パネルに表示する映像を記録再生する映像記録再生部とを備え、前記映像記録再生部は、入力映像信号の画面をマルチディスプレイ構成に応じて縮小する画サイズ設定部を有することを特徴とするディスプレイ装置。
【００４２】
（付記２）
前記画サイズ設定部は、水平方向にＭ個、垂直方向にＮ個（Ｍ、Ｎは整数）の２次元配列のマルチディスプレイの場合には、水平方向に１／Ｍ、垂直方向に１／Ｎの縮小画面を生成することを特徴とする付記１に記載のディスプレイ装置。
【００４３】
（付記３）
前記映像記録再生部は、更に、マルチディスプレイの画面構成の位置情報を記録することを特徴とする付記１又は２に記載のディスプレイ装置。
【００４４】
（付記４）
前記映像記録再生部は、更に、同期用の信号を記録することを特徴とする付記１から３の何れか一項に記載のディスプレイ装置。
【符号の説明】
【００４５】
１，１０１ａ〜１０１ｂ    ディスプレイ装置
１１    映像処理部
１２    液晶パネル
１５    制御部
１７，１７ａ〜１７ｄ    映像記録再生部
１０２    プレーヤ
１０３    コンテンツサーバ 
【図１】
2013190695.tif 000003
【図２】
2013190695.tif 000004
【図３】
2013190695.tif 000005
【図４】
2013190695.tif 000006
【図５】
2013190695.tif 000007
【図６】
2013190695.tif 000008
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
入力映像信号を表示する表示パネルと、
前記表示パネルに表示する映像を記録再生する映像記録再生部とを備え、
前記映像記録再生部は、入力映像信号の画面をマルチディスプレイ構成に応じて縮小する画サイズ設定部を有する
ことを特徴とするディスプレイ装置。
【請求項２】
前記画サイズ設定部は、水平方向にＭ個、垂直方向にＮ個（Ｍ、Ｎは整数）の２次元配列のマルチディスプレイの場合には、水平方向に１／Ｍ、垂直方向に１／Ｎの縮小画面を生成することを特徴とする請求項１に記載のディスプレイ装置。
【請求項３】
前記映像記録再生部は、更に、マルチディスプレイの画面構成の位置情報を記録することを特徴とする請求項１又は２に記載のディスプレイ装置。
【請求項４】
前記映像記録再生部は、更に、同期用の信号を記録することを特徴とする請求項１から３の何れか一項に記載のディスプレイ装置。
【請求項５】
表示パネルに入力映像信号を表示する第１段階と、
前記表示パネルに表示する映像を記録再生する第２段階とを含み、
前記第２段階は、入力映像信号の画面をマルチディスプレイ構成に応じて縮小する段階を含む
ことを特徴とするディスプレイ方法。
【手続補正３】
【補正対象書類名】明細書
【補正対象項目名】０００１
【補正方法】変更
【補正の内容】
【０００１】
本発明は、ディジタルサイネージシステムに用いられるディスプレイ装置およびディスプレイ方法に関する。
【手続補正４】
【補正対象書類名】明細書
【補正対象項目名】０００７
【補正方法】変更
【補正の内容】
【０００７】
本発明は、上述の課題を鑑み、広告の表示実績を確証できるディスプレイ装置およびディスプレイ方法を提供することを目的とする。
【手続補正５】
【補正対象書類名】明細書
【補正対象項目名】０００８
【補正方法】変更
【補正の内容】
【０００８】
上述の課題を鑑み、本発明に係るディスプレイ装置は、入力映像信号を表示する表示パネルと、表示パネルに表示する映像を記録再生する映像記録再生部とを備え、映像記録再生部は、入力映像信号の画面をマルチディスプレイ構成に応じて縮小する画サイズ設定部を有することを特徴とする。
また、本発明に係るディスプレイ方法は、表示パネルに入力映像信号を表示する第１段階と、前記表示パネルに表示する映像を記録再生する第２段階とを含み、前記第２段階は、入力映像信号の画面をマルチディスプレイ構成に応じて縮小する段階を含むことを特徴とする。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
複数組み合わせてマルチディスプレイとして用いるためのディスプレイ装置であって、
入力映像信号に基づいて映像を表示する表示パネルと、
前記マルチディスプレイを構成する複数のディスプレイ装置の配列構成に応じて前記入力映像信号の画面を縮小した縮小画面の映像信号を記録し、前記映像信号を再生する映像記録再生部とを備える
ことを特徴とするディスプレイ装置。
【請求項２】
前記映像記録再生部は、水平方向にＭ個、垂直方向にＮ個（Ｍ、Ｎは整数）の２次元配列のマルチディスプレイの場合には、水平方向に１／Ｍ、垂直方向に１／Ｎの縮小画面を生成することを特徴とする請求項１に記載のディスプレイ装置。
【請求項３】
前記映像記録再生部は、更に、前記マルチディスプレイを構成する複数のディスプレイ装置の配列構成の位置情報を記録することを特徴とする請求項１又は２に記載のディスプレイ装置。
【請求項４】
前記映像記録再生部は、更に、同期用の信号を記録することを特徴とする請求項１から３の何れか一項に記載のディスプレイ装置。
【請求項５】
複数組み合わせてマルチディスプレイとして用いるためのディスプレイ装置のディスプレイ方法であって、
表示パネルに入力映像信号に基づいて映像を表示する第１段階と、
前記マルチディスプレイを構成する複数のディスプレイ装置の配列構成に応じて前記入力映像信号の画面を縮小した縮小画面の映像信号を記録する第２段階と、
前記映像信号を再生する第３段階とを含む
ことを特徴とするディスプレイ方法。
【手続補正２】
【補正対象書類名】明細書
【補正対象項目名】０００８
【補正方法】変更
【補正の内容】
【０００８】
上述の課題を鑑み、本発明に係るディスプレイ装置は、複数組み合わせてマルチディスプレイとして用いるためのディスプレイ装置であって、入力映像信号に基づいて映像を表示する表示パネルと、前記マルチディスプレイを構成する複数のディスプレイ装置の配列構成に応じて前記入力映像信号の画面を縮小した縮小画面の映像信号を記録し、前記映像信号を再生する映像記録再生部とを備えることを特徴とする。
また、本発明に係るディスプレイ方法は、複数組み合わせてマルチディスプレイとして用いるためのディスプレイ装置のディスプレイ方法であって、表示パネルに入力映像信号に基づいて映像を表示する第１段階と、前記マルチディスプレイを構成する複数のディスプレイ装置の配列構成に応じて前記入力映像信号の画面を縮小した縮小画面の映像信号を記録する第２段階と、前記映像信号を再生する第３段階とを含むことを特徴とする。
【国際調査報告】
2013190695.tif 000009
2013190695.tif 000010
2013190695.tif 000011
2013190695.tif 000012